(57)【特許請求の範囲】
【請求項１】
移動体電話加入者（Ａ）を取り扱うためのローミング装置（１００）を含む通信システム（ＴＳ，ＴＳＸ）に於いて、システム（ＴＳ）は通信システム（ＴＳ）内に第一の標準型式の移動体ネットワーク、いわゆる本拠地ネットワーク（ＰＤＣ）、と少なくともひとつの第二の標準型式の移動体ネットワーク、いわゆる訪問先ネットワーク（ＧＳＭ）を含み；加入者（Ａ）は本拠地ネットワーク（ＰＤＣ）並びに訪問先ネットワーク（ＧＳＭ）の両方に共通の呼び出し番号を有し、そして加入者（Ａ）はローミング装置（１００）の中に訪問先ネットワーク（ＧＳＭ）を訪問する可能性のある者として登録されており；ローミング装置は信号取り扱い装置（ＩＬＲ，ＩＭＳＣ）と、本拠地ネットワーク（ＰＤＣ）に向けた少なくともひとつの本拠地インタフェース（Ｓ１，Ｓ３）と、訪問先ネットワーク（ＧＳＭ）に向けた少なくともひとつの訪問先インタフェース（Ｓ２，Ｓ４）を含み、ここで本拠地インタフェース（Ｓ１，Ｓ３）は本拠地ネットワーク（ＰＤＣ）からの信号を受信しそして本拠地ネットワーク（ＰＤＣ）へ信号を転送するように構成されており、ここでの信号フォーマットは本拠地ネットワーク（ＰＤＣ）内で発生する信号フォーマットと同一であり、また訪問先インタフェース（Ｓ２，Ｓ４）は訪問先ネットワーク（ＧＳＭ）からの信号を受信しそして訪問先ネットワーク（ＧＳＭ）へ信号を転送するように構成されており、前記信号のフォーマットは訪問先ネットワーク（ＧＳＭ）内で発生する信号フォーマットと同一であり；信号取り扱い装置（ＩＬＲ，ＩＭＳＣ）が本拠地ネットワークと訪問先ネットワークとの間で、ネットワーク（ＰＤＣ，ＧＳＭ）の間をローミングする転送信号を介して情報を転送するように構成されている、前記通信システム。
【請求項２】
請求項第１項記載の通信システム（ＴＳ）に於いて、本拠地ネットワーク（ＰＤＣ）並びに訪問先ネットワーク（ＧＳＭ）は各々本拠地レジスタ（ＨＬＲ１，ＨＬＲ２）とローカル交換センタ（ＭＳＣ１，ＭＳＣ２）とを含み；ここでローミング装置（１００）はローミングレジスタ（ＩＬＲ）を含み、これは本拠地インタフェース内の第一信号呼び出しインタフェース（Ｓ１）を経由して本拠地ネットワーク（ＰＤＣ）に接続されており、この第一信号呼び出しインタフェースは本拠地ネットワーク（ＰＤＣ）内の本拠地レジスタ（ＨＬＲ１）とローミングレジスタ（ＩＬＲ）との間に配置されており、これはまた訪問先インタフェース内の第二信号呼び出しインタフェース（Ｓ２）を経由して訪問先ネットワーク（ＧＳＭ）に接続されており、この第二信号呼び出しインタフェースは訪問先ネットワーク（ＧＳＭ）内のローカル交換センタ（ＭＳＣ２）とローミングレジスタ（ＩＬＲ）との間に接続されており；ここで第一インタフェース（Ｓ１）は本拠地レジスタ（ＨＬＲ１）と本拠地ネットワーク（ＰＤＣ）内のローカル交換センタ（ＭＳＣ１）との間の標準化されたインタフェースと同一型式であり；またここで第二インタフェース（Ｓ２）はローカル交換センタ（ＭＳＣ２）と訪問先ネットワーク（ＧＳＭ）内の本拠地レジスタ（ＨＬＲ２）との間の標準化されたインタフェースと同一型式である、前記通信システム。
【請求項３】
請求項第１項記載の通信システム（ＴＳ）に於いて、ここで本拠地ネットワーク（ＰＤＣ）並びに訪問先ネットワーク（ＧＳＭ）は各々本拠地レジスタ（ＨＬＲ１，ＨＬＲ２）とローカル交換センタ（ＭＳＣ１，ＭＳＣ２）とを含み；ここで本拠地ネットワーク（ＰＤＣ）はまたその中にローカル交換センタ（ＭＳＣ１）を訪問中の加入者が登録されている訪問者レジスタを含み；ここでローミング装置（１００）はローミングレジスタ（ＩＬＲ）を含んでいて、これは本拠地ネットワーク（ＰＤＣ）に本拠地インタフェース内の第一信号呼び出しインタフェース（Ｓ１）経由で接続され、この第一信号呼び出しインタフェースは本拠地ネットワーク（ＰＤＣ）内の本拠地レジスタ（ＨＬＲ１）とローミングレジスタ（ＩＬＲ）との間に配置されており、またこのレジスタ（ＩＬＲ）は訪問先ネットワーク（ＧＳＭ）に訪問先インタフェース内の第二信号呼び出しインタフェース（Ｓ２）経由で接続され、この第二信号呼び出しインタフェースは訪問先ネットワーク（ＧＳＭ）内のローカル交換センタ（ＭＳＣ２）とローミングレジスタ（ＩＬＲ）との間に配置されており；そして第一インタフェース（Ｓ１）は本拠地レジスタ（ＨＬＲ１）と訪問先レジスタとの間の標準化されたインタフェースと同じ型式のものであり、また第二インタフェース（Ｓ２）はローカル交換センタ（ＭＳＣ２）と訪問先ネットワーク（ＧＳＭ）内の本拠地レジスタ（ＨＬＲ２）との間の標準化されたインタフェースと同じ型式のものである、前記通信システム。
【請求項４】
請求項第１項記載の通信システム（ＴＳＸ）に於いて；本拠地ネットワーク（ＧＳＭＸ）並びに訪問先ネットワーク（ＰＤＣＸ）は各々本拠地レジスタ（ＨＬＲ２，ＨＬＲ１）とローカル交換センタ（ＭＳＣ１，ＭＳＣ２）とそしてまた、その中にローカル交換センタ（ＭＳＣ１）を訪問中の加入者が登録されている訪問者レジスタ（ＧＬＲ）を含み；ここでローミング装置（１００）はローミングレジスタ（ＩＬＲ）を含んでいて、これは本拠地ネットワーク（ＧＳＭＸ）に本拠地インタフェース内の第一信号呼び出しインタフェース（Ｓ１）経由で接続され、この第一信号呼び出しインタフェースは本拠地ネットワーク（ＧＳＭＸ）内の本拠地レジスタ（ＨＬＲ２）とローミングレジスタ（ＩＬＲ）との間に配置されており、またこのレジスタ（ＩＬＲ）は訪問先ネットワーク（ＰＤＣＸ）に訪問先インタフェース内の第二信号呼び出しインタフェース（Ｓ２）経由で接続され；この第二信号呼び出しインタフェースは訪問先ネットワーク（ＰＤＣＸ）内の訪問先レジスタ（ＧＬＲ）とローミングレジスタ（ＩＬＲ）との間に配置されており；第一インタフェース（Ｓ１）は本拠地レジスタ（ＨＬＲ２）と訪問先レジスタ（ＧＳＭＸ）内のローカル交換センタ（ＭＳＣ２）との間の標準化されたインタフェースと同じ型式のものであり；また第二インタフェース（Ｓ２）は訪問先レジスタ（ＧＬＲ）と訪問先ネットワーク（ＰＤＣＸ）内の本拠地レジスタ（ＨＬＲ１）との間の標準化されたインタフェースと同じ型式のものである、前記通信システム。
【請求項５】
請求項第１項記載の通信システム（ＴＳ）に於いて；本拠地ネットワーク（ＰＤＣ）並びに訪問先ネットワーク（ＧＳＭ）は各々本拠地レジスタ（ＨＬＲ１，ＨＬＲ２）、ローカル交換センタ（ＭＳＣ１，ＭＳＣ２）そして、その中にローカル交換センタ（ＭＳＣ２）を訪問中の加入者が登録されている訪問者レジスタを含み；ここでローミング装置（１００）はローミングレジスタ（ＩＬＲ）を含んでいて、これは本拠地ネットワークに本拠地インタフェース内の第一信号呼び出しインタフェース（Ｓ１）経由で接続され、前記第一信号呼び出しインタフェースは本拠地ネットワーク（ＰＤＣ）内の本拠地レジスタ（ＨＬＲ１）とローミングレジスタ（ＩＬＲ）との間に配置されており、またこのローミングレジスタ（ＩＬＲ）は訪問先ネットワーク（ＧＳＭ）に訪問先インタフェース内の第二信号呼び出しインタフェース（Ｓ２）経由で接続され、この第二信号呼び出しインタフェースは訪問先ネットワーク（ＧＳＭ）内のローカル交換センタ（ＭＳＣ２）とローミングレジスタ（ＩＬＲ）との間に配置されており；そして第一インタフェース（Ｓ１）は本拠地レジスタ（ＨＬＲ１）と訪問先レジスタとの間の標準化されたインタフェースと同じ型式のものであり、また第二インタフェース（Ｓ２）はローカル交換センタ（ＭＳＣ２）と訪問先ネットワーク（ＧＳＭ）内の本拠地レジスタ（ＨＬＲ２）との間の標準化されたインタフェースと同じ型式のものである、前記通信システム。
【請求項６】
請求項第２項、第３項、第４項または第５項のいずれかひとつに記載の通信システム（ＴＳ）に於いて；本拠地ネットワーク（ＰＤＣ）は少なくともひとつの第一呼び出し交換センタ（ＧＭＳＣ１）を含み；この呼び出し交換センタは呼び出しを行う加入者（ＣＳ）から移動体電話加入者（Ａ）への呼び出しを受信するように意図されており；ローミング装置（１００）はローミング交換センタ（ＩＭＳＣ）を含み、これは本拠地ネットワーク（ＰＤＣ）に、ローミング交換センタ（ＩＭＳＣ）と本拠地ネットワーク（ＰＤＣ）内の呼び出し交換センタ（ＧＭＳＣ１）との間にある本拠地インタフェース内の第三信号呼び出しインタフェース（Ｓ３）経由で接続され；ローミング交換センタ（ＩＭＳＣ）はまた訪問先ネットワーク（ＧＳＭ）に、ローミング交換センタ（ＩＭＳＣ）と訪問先ネットワーク（ＧＳＭ）内のローカル交換センタ（ＭＳＣ２）との間にある訪問先インタフェース内の第四信号呼び出しインタフェース（Ｓ４）経由で接続され；第三インタフェース（Ｓ３）は第一呼び出し交換センタ（ＧＳＭＣ１）と本拠地ネットワーク（ＰＤＣ）内のローカル交換センタ（ＭＳＣ１）との間の標準インタフェースと同じ型式であり；第四インタフェース（Ｓ４）はローカル交換センタ（ＭＳＣ２）と訪問先ネットワーク（ＧＳＭ）内の第二呼び出し交換センタ（ＧＭＳＣ２）との間の標準インタフェースと同じ型式である、前記通信システム（ＴＳ）。
【請求項７】
移動体電話加入者を取り扱うためのローミング装置（２００）を含む通信システム（ＴＳＹ）に於いて、通信システム（ＴＳＹ）は通信システム（ＴＳＹ）内に第一の標準型式の移動体電話ネットワーク、いわゆる本拠地ネットワーク（ＰＤＣ１）と少なくともひとつの第二の標準型式の移動体電話ネットワーク、いわゆる訪問先ネットワーク（ＰＤＣ２）とを含み、ここで加入者は本拠地ネットワーク（ＰＤＣ１）と訪問先ネットワーク（ＰＤＣ２）の両方に共通の呼び出し番号を有し、ローミング装置（２００）は第一信号取り扱い装置（ＩＬＲ１，ＩＭＳＣ１）と第二信号取り扱い装置（ＩＬＲ２，ＩＭＳＣ２）と本拠地ネットワーク（ＰＤＣ１）に向けた少なくともひとつの本拠地インタフェース（Ｓ５，Ｓ７）と訪問先ネットワーク（ＰＤＣ２）に向けた少なくともひとつの訪問先インタフェース（Ｓ６，Ｓ８）とを含み、ここで本拠地インタフェース（Ｓ５，Ｓ７）は本拠地ネットワーク（ＰＤＣ１）から信号を受信してその信号を本拠地ネットワーク（ＰＤＣ１）に送信するように構成されており、ここでその信号のフォーマットは本拠地ネットワーク（ＰＤＣ１）内で発生する信号フォーマットと同じであり、またここで訪問先インタフェース（Ｓ６，Ｓ８）は訪問先ネットワーク（ＰＤＣ２）から信号を受信してその信号を訪問先ネットワーク（ＰＤＣ２）に送信するように構成されており、ここで前記信号のフォーマットは訪問先ネットワーク（ＰＤＣ２）内で発生する信号フォーマットと同じである、前記通信システム。
【請求項８】
請求項第１項、第２項、第３項、第４項、第５項、第６項、第７項または第８項記載の通信システム（ＴＳ）に関連するローミング装置（１００、２００）を含む通信システム（ＴＳ）に於いて、少なくともひとつの移動体電話ネットワーク（ＰＤＣ，ＧＳＭ，ＰＤＣ１，ＰＤＣ２）が、少なくともひとつの衛星経由の空中インタフェースを含む、前記通信システム。
【請求項９】
移動体電話加入者（Ａ）を取り扱うための通信システム（ＴＳ）に関連する方法であって、前記加入者は第一の標準型式の移動体電話ネットワーク、通信システム（ＴＳ）のいわゆる本拠地ネットワーク（ＰＤＣ）と、第二の標準型式の移動体電話ネットワーク、通信システム（ＴＳ）内のいわゆる訪問先ネットワーク（ＧＳＭ）の両方に共通な呼び出し番号で管理されており；ここで本拠地ネットワーク（ＰＤＣ）はその中に加入者（Ａ）がその本拠地ネットワーク（ＰＤＣ）内の本来の在籍者として恒久的に登録されている本拠地レジスタ（ＨＬＲ１）を含み；ここで訪問先ネットワーク（ＧＳＭ）はローカル交換センタ（ＭＳＣ２）を含み、これはローカル交換センタ（ＭＳＣ２）で取り扱われているセル領域内に配置されている移動体装置（ＭＳ２）との間の信号呼び出しを取り扱い；ここで通信システム（ＴＳ）はローミング装置（１００）を含み、これはローミングレジスタ（ＩＬＲ）を含んでいてこの中に加入者（Ａ）は訪問先ネットワーク（ＧＳＭ）内を訪問する可能性のある者として恒久的に登録されており；そしてローミングレジスタ（ＩＬＲ）は訪問先ネットワーク（ＧＳＭ）内のローカル交換センタ（ＭＳＣ）及びまた本拠地ネットワーク（ＰＤＣ）内の本拠地レジスタ（ＨＬＲ１）とに接続されており；ここでと前記方法は以下の手順
・ローカル交換センタ（ＭＳＣ２）のセル領域の中の訪問先ネットワーク内に配置されている移動体装置（ＭＳ２）を作動させ、この作動は加入者（Ａ）によって実行される；
・移動体（ＭＳ２）からローカル交換センタ（ＭＳＣ２）へ加入者（Ａ）の識別を含む更新要求（１）を送信し；
・訪問先ネットワーク（ＧＳＭ）内のローカル交換センタ（ＭＳＣ２）の中でローミング中の加入者（Ａ）の識別に基づいて、加入者が恒久的にローミングレジスタ（ＩＬＲ）に登録されることを確立し；
・加入者（Ａ）の訪問先ネットワーク（ＧＳＭ）内での訪問者としての権利承認をチェックし；
・加入者（Ａ）の訪問先ネットワーク（ＧＳＭ）内での訪問者としての権利承認を確認受容し；
・ローカル交換センタ（ＭＳＣ２）からローミングレジスタ（ＩＬＲ）へ、加入者（Ａ）がローカル交換センタ（ＭＳＣ２）内に見いだされたという情報を含む加入メッセージ（４）を送り；
・ローミングレジスタ（ＩＬＲ）を加入者（Ａ）の新たな位置、すなわち訪問先ネットワーク（ＧＳＭ）内のローカル交換センタ（ＭＳＣ２）で更新し；
・ローミングレジスタ（ＩＬＲ）から本拠地ネットワーク（ＰＤＣ）内の本拠地レジスタ（ＨＬＲ１）に、加入者（Ａ）がローミングレジスタ（ＩＬＲ）の中に見いだされたという情報を含む更新メッセージ（５）を送り；そして
・本拠地ネットワーク（ＰＤＣ）内の本拠地レジスタ（ＨＬＲ１）を加入者に関連する情報で更新する、以上の手順を含む、前記方法。
【請求項１０】
請求項第７項記載の通信システム（ＴＳ）に関連する方法に於いて；該方法が以下の手順
・ローカル交換センタ（ＭＳＣ２）からローミングレジスタ（ＩｌＲ）へ加入者権利承認のチェックを要求するための情報要求（２）を送り；そして
・ローミングレジスタ（ＩＬＲ）からローカル交換センタ（ＭＳＣ２）へ、加入者権利承認チェックに要求された情報を含む、情報応答（３）を送る、以上の手順を含む、前記方法。
【請求項１１】
請求項第７項または第８項記載の通信システム（ＴＳ）に関連する方法に於いて；本拠地ネットワーク（ＰＤＣ）は呼び出し交換センタ（ＧＭＳＣ１）を含み、これは本拠地レジスタ（ＨＬＲ１）とローミング装置（１００）とに接続されており；ここでローミング装置はローカル交換センタ（ＩＭＳＣ）を含みこれはローミングレジスタ（ＩＬＲ）に接続されており；ここで本方法が以下の手順
・呼び出しを行う加入者（ＣＳ）が加入者（Ａ）を通信システム（ＴＳ）内の公衆交換電話ネットワーク装置（ＰＳＴＮ）から呼び出しを行い、これによって呼び出し信号（２１）が公衆交換電話ネットワーク装置（ＰＳＴＮ）から本拠地ネットワーク（ＰＤＣ）内の呼び出し交換センタ（ＧＭＳＣ１）に送られ；
・呼び出し交換センタ（ＧＭＳＣ１）から本拠地レジスタ（ＨＬＲ１）へ加入者（Ａ）の位置を問い合わせる第一問い合わせ（２２）を送り；
・本拠地レジスタ（ＨＬＲ１）から呼び出し交換センタ（ＧＭＳＣ）へ、ローミング交換センタ（ＩＭＳＣ）への第一アドレスを含む第一応答（２３）を送り；
・呼び出し交換センタ（ＧＭＳＣ）からの呼び出しをローミング交換センタ（ＩＭＳＣ）へ、第一アドレスを含む第一回送メッセージ（２４）に基づいて転送し；
・ローミング交換センタ（ＩＭＳＣ）からローミングレジスタ（ＩＬＲ）へ加入者（Ａ）の位置を問い合わせる第二問い合わせ（２５）を送り；
・ローミングレジスタ（ＩＬＲ）からローミング交換センタ（ＩＭＳＣ）へ、訪問先ネットワーク（ＧＳＭ）内のローカル交換センタ（ＭＳＣ２）への第二アドレスを含む第二応答（２６）を送り；
・ローミング交換センタ（ＩＭＳＣ）からの呼び出しをローカル交換センタ（ＭＳＣ２）へ、第二アドレスを含む第二回送メッセージ（２７）に基づいて転送し；そして
・公衆交換電話ネットワーク装置（ＰＳＴＮ）から移動体（ＭＳ２）への呼び出しを、ローカル交換センタ（ＭＳＣ２）と移動体（ＭＳ２）との間の接続を確立することによって完了する、以上の手順を含む前記方法。
【請求項１２】
請求項第９項記載の通信システム（ＴＳ）に関連する方法に於いて、前記方法が
・ローミング装置（１００）から本拠地ネットワーク内の本拠地レジスタへのローミング番号を収集する手順を含む、前記方法。
【請求項１３】
請求項第９項または第１０項記載の通信システム（ＴＳ）に関連する方法に於いて；前記方法が更に
・訪問先ネットワーク（ＧＳＭ）内のローカル交換センタ（ＭＳＣ２）からローミング装置（１００）へのローミング番号を収集する手順を含む、前記方法。
【請求項１４】
請求項第７項または第８項記載の通信システム（ＴＳ）に関連する方法に於いて、本拠地ネットワーク（ＰＤＣ）内の本拠地レジスタ（ＨＬＲ１）が、加入者が利用可能な付帯サービスに関する情報を含み、前記方法が以下の手順
・移動体装置（ＭＳ２）からローミングレジスタ（ＩＬＲ）へ訪問先ネットワーク（ＧＳＭ）内のローカル交換センタ（ＭＳＣ２）経由で、第一取り扱い要求（３１ａ）を送り、これは加入者（Ａ）が付帯サービスの取り扱いをどの様に希望して居るかの情報を含み；
・第一取り扱い要求（３１ａ）を第二取り扱い要求（３１ｂ）に変換し、これはローミングレジスタ（ＩＬＲ）から本拠地ネットワーク（ＰＤＣ）内の本拠地レジスタ（ＨＬＲ１）に送られ；そして
・本拠地ネットワーク（ＰＤＣ）の中の本拠地レジスタ（ＨＬＲ１）内の付帯サービスを加入者（Ａ）から指定された仕様に基づいて取り扱う、以上の手順を含む前記方法。
【請求項１５】
請求項第１２項記載の通信システム（ＴＳ）に関連する方法に於いて、前記方法が更に以下の手順
・本拠地ネットワーク（ＰＤＣ）内の本拠地レジスタ（ＨＬＲ１）からローミングレジスタ（ＩＬＲ）へ、第一取り扱い認知確認（３２ａ）を送り、これは加入者の仕様に従ってサービスの取り扱いの認知確認を行い；そして
・第一取り扱い認知確認（３２ａ）を第二取り扱い認知確認（３２ｂ）に変換し、この第二認知確認をローミングレジスタ（ＩＬＲ）から移動体装置（ＭＳ２）へローカル交換センタ（ＭＳＣ２）経由で送る、以上の手順を含む、前記方法。
【請求項１６】
請求項第７項または第８項記載の通信システム（ＴＳ）に関連する方法に於いて、本拠地ネットワーク（ＰＤＣ）内の本拠地レジスタ（ＨＬＲ１）とローカル交換センタ（ＭＳＣ２）とが、加入者（Ａ）が利用可能な付帯サービスに関する情報を含み、前記方法が以下の手順
・本拠地ネットワーク（ＰＤＣ）内の本拠地レジスタ（ＨＬＲ１）からローミングレジスタ（ＩＬＲ）へ、付帯サービスの変更が実施されたことを通知する第一変更メッセージ（４１ａ）を送り；
・第一変更メッセージ（４１ａ）を第二変更メッセージ（４１ｂ）に変更して、第二メッセージをローミングレジスタ（ＩＬＲ）から訪問先ネットワーク（ＧＳＭ）内のローカル交換センタ（ＭＳＣ２）へ送り；
・この付帯サービスの変更を、訪問先ネットワーク（ＧＳＭ）の中のローカル交換センタ（ＭＳＣ２）の中へ知らせ；
・ローミングレジスタ（ＩＬＲ）へ訪問先ネットワーク（ＧＳＭ）内のローカル交換センタ（ＭＳＣ２）から、その変更が実行された事を認知確認するための第一認知確認（４２ａ）を送り；そして
・第一変更メッセージ（４２ａ）を第二変更メッセージ（４２ｂ）に変換し、これはローミングレジスタ（ＩＬＲ）から本拠地ネットワーク（ＰＤＣ）内の本拠地レジスタ（ＨＬＲ１）へ送られる、以上の手順を含む前記方法。
【請求項１７】
請求項第７項または第８項記載の通信システム（ＴＳ）に関連する方法に於いて、本拠地ネットワーク（ＰＤＣ）内の本拠地レジスタ（ＨＬＲ１）とローカル交換センタ（ＭＳＣ２）とが、加入者（Ａ）が利用可能な付帯サービスに関する情報を含み、そして前記方法が以下の手順
・本拠地ネットワーク（ＰＤＣ）内の本拠地レジスタ（ＨＬＲ１）からローミングレジスタ（ＩＬＲ）へ、本拠地ネットワーク（ＰＤＣ）内の本拠地レジスタ（ＨＬＲ）内でエラーが発生し、本拠地レジスタが加入者（Ａ）の位置に関する情報を失ったことを通知する第一エラーメッセージ（５１ａ）を送り；
・第一エラーメッセージ（５１ａ）を第二エラーメッセージ（５１ｂ）に変更して、前記第二メッセージをローミングレジスタ（ＩＬＲ）から訪問先ネットワーク（ＧＳＭ）内のローカル交換センタ（ＭＳＣ２）へ送り；そして
・加入者（Ａ）の位置に関する情報が必要であることを、ローカル交換センタ（ＭＳＣ２）の中へ知らせる、以上の手順を含む前記方法。
【請求項１８】
請求項第１５項記載の通信システム（ＴＳ）に関連する方法に於いて、更に以下の手順
・ローミングレジスタ（ＩＬＲ）へ訪問先ネットワーク（ＧＳＭ）内のローカル交換センタ（ＭＳＣ２）から、そのエラーメッセージが受信された事を確認するための第一エラー認知確認（５２ａ）を送り；そして
・第一エラー認知確認メッセージ（５２ａ）を第二エラー認知確認メッセージ（５２ｂ）に変換し、前記第二エラー認知確認をローミングレジスタ（ＩＬＲ）から本拠地ネットワーク（ＰＤＣ）内の本拠地レジスタ（ＨＬＲ１）へ送る、以上の手順を含む前記方法。
【請求項１９】
請求項第７項または第８項記載の通信システム（ＴＳ）に関連する方法に於いて、本拠地ネットワーク（ＰＤＣ）がローカル交換センタ（ＭＳＣ１）を含み、これはローカル交換センタ（ＭＳＣ１）で取り扱われるセル領域内に配置されている移動体装置（ＭＳ１）との間の信号呼び出しを取り扱い、そして前記方法が以下の手順
・本拠地ネットワーク（ＰＤＣ）内の本拠地レジスタ（ＨＬＲ１）からローミングレジスタ（ＩＬＲ）へ、加入者（Ａ）がもはや訪問先ネットワーク（ＧＳＭ）内には存在しない旨通知する第一解除メッセージ（６１ａ）を送り；
・第一解除メッセージ（６１ａ）を第二解除メッセージ（６１ｂ）に変換し、該第二解除メッセージをローミングレジスタ（ＩＬＲ）から訪問先ネットワーク（ＧＳＭ）内のローカル交換センタ（ＭＳＣ２）へ送り；
・ローカル交換センタ（ＭＳＣ２）内の加入者（Ａ）データを解除し；
・第一解除認知確認（６２ａ）をローカル交換センタ（ＭＳＣ２）からローミングレジスタ（ＩＬＲ）へ送り；そして
・第一解除認知確認（６２ａ）を第二解除認知確認（６２ｂ）に変換し、該第二解除認知確認をローミングレジスタ（ＩＬＲ）から本拠地ネットワーク（ＰＤＣ）内の本拠地レジスタ（ＨＬＲ１）へ送る、以上の手順を含む前記方法。
【発明の詳細な説明】
技術分野
本発明は、少なくとも二つの異なる標準移動体電話ネットワーク内で管理され、少なくともふたつのネットワークの両方で共通の呼び出し番号を具備している移動体電話加入者を取り扱うための装置に関する。本発明はまた、その加入者を取り扱う際の手続きの方法にも関する。
背景技術
移動体電話の分野では、移動体が異なる移動体電話ネットワークの間を移動する際に移動体加入者の位置を自動的に登録することが、これまで長く知られている。この種の自動移動体登録は、ローミング（roaming）と呼ばれている。例えば、ＧＳＭシステムでは欧州の数カ国に拡張して、ひとつの国から別の国に移動する際に、移動体の新たな位置を手動で登録する必要なく移動体装置を使用できるようにしている。移動体が一カ所から別の場所に移動し終わった後にスィッチが投入されると、移動体のその位置が自動的に登録される。一度移動体の位置の登録が完了すると、再び呼び出しを受信したり別の加入者に電話を掛けることが可能となる。異なる副システムを含む移動体電話システムは、例えば国際特許明細書ＷＯ  ８９／０７３８０で知られている。このシステムは主コンピュータを含み、これはその各々が副システムのひとつの中に配置されている異なるローカルコンピュータと通信することが可能である。主コンピュータはこれによって移動体装置が全体システム内の何処に存在して居るかの情報を得る。主コンピュータ内に含まれる情報を用いて呼び出しを移動体装置にかけることが出来る。今日の技術のひとつの重大な欠点は、装置が別の場所に移動した後の移動体装置位置の自動更新に於いて、その移動が同種の標準移動体通信システム、例えばＧＳＭの中になされることを必要とする点である。今日の技術ではひとつの型式の移動体通信システム、例えばＧＳＭから、別の型式の移動体通信システム、例えば日本のＰＤＣシステムに自動的に情報を転送することは出来ない。決定的な要因は異なる型式の移動体通信システムでは内部的に異なる型式の信号処理手続きの媒体を介して通信していることである。移動体通信包括システム（ＧＳＭ）と個人ディジタル式セルラ（ＰＤＣ）はシステム内でのローミングが可能な移動体通信システムの例である。ＧＳＭシステム内でのローミングは、欧州ディジタル式セルラ通信システム；ネットワーク構成ＧＳＭ０３．０２並びに移動体応用編ＧＳＭ０９．０２に記述されている。ＰＤＣシステム内でのローミングは規格ＴＴＣ  ＪＪ／７０．１０，第３版に記載されている。
発明の開示
本発明は、少なくとも二つの異なる標準化された型式の移動体通信ネットワーク内で同一呼び出し番号または同一のその他の識別信号で管理されている移動体加入者の取り扱いの問題に関する。例えば、通信を行う加入者は移動体が配置されているネットワークには関係なく同一の呼び出し番号で移動体に電話を掛けることが出来ることを望んでいる。
これは本発明により可能となり、ここでは異なるネットワークが相互にローミング装置を経由して接続されており、これはいくつかの異なる標準型式のネットワークと通信することが可能である。
上述の問題はまた本発明に基づき発明された処理手続き方法により解決され、ネットワーク間を移動した後加入者は移動を行う前に利用できていたのと同一のサービスにアクセス出来るようになる。
従って本発明のひとつの目的は、加入者が少なくとも二つの異なる標準型式のネットワーク内で同種のサービスが得られるようにすることである。本発明の別の目的は、第一の型式のネットワークから第二の型式のネットワークに移動した加入者の位置を登録することである。更に別の目的はエラー発生時に位置登録の再要求を行うことであり、その結果先に得られていた情報が消去される。本発明の更に別の目的は、第一の型式のネットワークから別の型式のネットワークへ移動した加入者への通話を可能とすることである。本発明の更に別の目的は加入者付帯サービスを取り扱うことであり、例えば加入者が前記ネットワーク間を移動した後に呼び出し転送サービスを開始することによって実現する。本発明の更に別の目的は、第二の型式のネットワークから第一の型式のネットワークに戻った加入者を登録抹消することである。
ローミング装置は少なくともひとつの第一標準型式ネットワークに向けた複数の信号インタフェースを含み、これらのインタフェースは本発明に基づいてローミング装置が第一ネットワークの一部と認識される。ローミング装置はまた少なくともひとつの第二標準型式ネットワークに向けたインタフェースを含み、これらのインタフェースは本発明に基づいてローミング装置が第二ネットワークの一部と認識される。発明された処理手続きの方法はローミング装置に対する第一並びに第二標準型式ネットワークの両方から／または両方への情報の読み込み及び読み出しを含む。この処理手続きはまた包括されているネットワーク間でのデータ転送を含む。
本発明は加入者が第一標準型式ネットワークから第二標準型式ネットワークへ移動した後の加入者の位置登録を可能とする。これは既に知られている技術に比較して非常に優れた特長であり、従来の技術は単に加入者がひとつの標準型式移動体通信ネットワーク内で移動した後に加入者位置の再登録が出来るというものである。本発明が提供する別の特長は同一型式のサービスが、異なる標準型式のネットワーク間を移動する前後で得られるというものである。
次に本発明を提供された実施例並びにまた添付図を参照して更に詳細に説明する。
【図面の簡単な説明】
第１図は第一型式標準ネットワークと第二型式標準ネットワークとを含む通信システムの透視図を示す。
第２図は発明されたローミング装置、第一型式標準ネットワーク、そして第二型式標準ネットワークを含む通信システムを図式的に示す。
第３図は発明されたローミング装置、第一型式標準ネットワーク、そして第二型式標準ネットワークを含む通信システムを図式的に示す。
第４図は発明されたローミング装置、第一型式標準ネットワーク、そして第二型式標準ネットワークを含む通信システムを図式的に示す。この図はひとつの登録処理手続きに基づき実行される、信号呼び出し手続きを図示する。
第５図は第４図に示す登録手続きを図示する流れ図。
第６図は発明されたローミング装置、第一型式標準ネットワーク、そして第二型式標準ネットワークを含む通信システムを図式的に示す。この図はまた通話を行う際に実行される信号呼び出し手続きをも示す。
第７図は第６図に示す通話手続きを図示する流れ図。
第８図は発明されたローミング装置、第一型式標準ネットワーク、そして第二型式標準ネットワークを含む通信システムを図式的に示す。この図はまた、付帯サービスを取り扱う際に実行される信号呼び出し手続きをも図示する。
第９図は発明されたローミング装置、第一型式標準ネットワーク、そして第二型式標準ネットワークを含む通信システムを図式的に示す。この図はまた、付帯サービスの変更をシステムに通知する際に実行される信号呼び出し手続きをも図示する。
第１０図は発明されたローミング装置、第一型式標準ネットワーク、そして第二型式標準ネットワークを含む通信システムを図式的に示す。この図はまた、エラー処理の際に実行される信号呼び出し手続きをも図示する。
第１１図は発明されたローミング装置、第一型式標準ネットワーク、そして第二型式標準ネットワークを含む通信システムを図式的に示す。この図はまた、登録抹消操作に際して実行される信号呼び出し手続きをも図示する。
発明を実施するための最良の形態
第１図はＰＤＣ型式移動体通信ネットワーク（個人向けディジタルセルラ）を図示する。移動体通信ネットワークＰＤＣ、これ以降本拠地ネットワークＰＤＣと云う、は複数の移動体電話交換センタＭＳＣ１を含む。各々の交換センタは複数の基地局ＢＳ１に接続されており、その各々はひとつまたは複数のセルＣ１を含む地理的領域を監視する。交換センタの中のひとつは呼び出し交換センタＧＭＳＣ１と呼ばれる。呼び出し交換センタという用語は後ほど説明する。第１図に示す実施例に於いて、本拠地ネットワークＰＤＣはまた中央データベース、いわゆる本拠地レジスタＨＬＲ１を含み、この例の場合これは本拠地ネットワークＰＤＣ内の全ての交換機ＧＭＳＣ１及びＭＳＣ１に接続されている。
第１図はまたＧＳＭ型式移動体通信ネットワーク（移動体通信包括システム）も示している。移動体通信ネットワークＧＳＭ、これ以降訪問先ネットワークＧＳＭと云う、は本拠地ネットワークＰＤＣと同様に複数の移動体電話交換センタＭＳＣ２を含む。第１図の絵で、各々の交換センタは複数の基地制御装置ＢＳＣ２に接続され、その各々は基地局ＢＳ２に接続されていてこれはひとつまたは複数のセルＣ２を含む地理的な領域を監視する。本拠地ネットワークＰＤＣと同様に、訪問先ネットワークＧＳＭは呼び出し交換センタＧＭＳＣ２と中央データベース、いわゆる本拠地レジスタＨＬＲ２を含み、この例の場合これは訪問先ネットワークＧＳＭ内の全ての交換センタＧＭＳＣ２及びＭＳＣ２に接続されている。理解されるであろうが、第１図の本拠地ネットワークＰＤＣ並びに訪問先ネットワークＧＳＭ内に図示されている装置は、通常これらのネットワーク内に含まれている装置の総数の極一部を単に示しているに過ぎない。これに対応してネットワークＰＤＣ及びＧＳＭ内に通常存在する通話接続の総数の極一部のみが第１図の中に記されている。第１図が示す本拠地ネットワークＰＤＣ並びに訪問先ネットワークＧＳＭ内の装置は本発明を理解するために必要なものだけである。完全な通信システム内に存在する多数の装置は、分かり易くするために図からは除かれいる。ＰＤＣネットワークは規格ＴＴＣ  ＪＪ／７０．１０，第３版に仕様が定められており、一方ＧＳＭネットワークは欧州ディジタルセルラ通信システム；ネットワーク構造ＧＳＭ０３．０２に仕様が定められている。第１図はまた発明に基づくローミング装置１００も図示しており、その機能は第２図を参照して更に詳細に説明する。
第２図は本拠地ネットワークＰＤＣ並びに訪問先ネットワークＧＳＭを共に含む通信システムＴＳを図式的に示す。本拠地ネットワークＰＤＣは移動体電話交換センタＭＳＣ１を含み、これはまたＰＤＣローカル交換センタと呼ばれる。ＰＤＣローカル交換センタは、そのＰＤＣローカル交換センタＭＳＣ１で処理されるセルのうちのひとつの中に、一時的に存在している移動体装置ＭＳ１との間の通話呼び出しを取り扱う。本拠地ネットワークＰＤＣは呼び出し交換センタＧＭＳＣ１を含み、これはまたＰＤＣ呼び出し交換センタと呼ばれる。呼び出し交換センタＧＭＳＣ１は先に述べたＰＤＣローカル交換センタＭＳＣ１と同一型式の交換センタである。ローカル交換センタＭＳＣ１は、このローカル交換センタがネットワーク内で第一番目の交換センタとして、呼び出しを行う加入者ＣＳから呼び出しを受ける加入者、例えば移動体ＭＳ１の中の加入者Ａへの呼び出しを受信した時に、暫定的に指定ＰＤＣ呼び出し交換センタＧＭＳＣ１を獲得する。呼び出しを行う加入者ＣＳは第２図の中では形式的にのみ記されていて、呼び出しを行うために必要な全ての通信装置の図は示されていない。用語”呼び出し交換センタ”は用語”ローカル交換センタ”と区別する意味で此処では使用されているが、これは以下の説明をはっきりさせるための補助としてのみ用意されている。本拠地レジスタＨＬＲ１、これもまたＰＤＣ本拠地レジスタと呼ばれているが、は本拠地ネットワークＰＤＣの中で移動体電話交換センタＭＳＣ１とＧＭＳＣ１の両方に接続されている。本拠地ネットワーク内で彼等の本拠地加入番号を有する全ての加入者は、ＰＤＣ本拠地レジスタに登録されている、すなわちそれらの加入者は本拠地ネットワークを処理するネットワークオペレータに加入登録されており、そしてこれによってそのネットワークを使用する権利を有する。訪問先ネットワークＧＭＳもまた移動体電話交換センタＭＳＣ２を含み、これはまたＧＭＳローカル交換センタＭＳＣ２と呼ばれている。交換センタＭＳＣ２は基地制御装置ＢＳＣ２を経由して、ＧＭＳローカル交換センタＭＳＣ２で取り扱われているセルの内のひとつに一時的に配置されている移動体装置ＭＳ２との間の信号呼び出しを処理する。移動体装置ＭＳ２を使用する加入者は一時的にＧＭＳローカル交換センタＭＳＣ２内の訪問者レジスタに登録される一方で、移動体装置ＭＳ２はＧＭＳ交換センタＭＳＣ２で取り扱われるセル領域内に配置されている。訪問先ネットワークＧＳＭはまた呼び出し交換センタＧＭＳＣ２を含み、その訪問先ネットワーク内での機能は先に述べた本拠地ネットワークＰＤＣ内のＰＤＣ呼び出し交換センタの機能と同じである。本拠地レジスタ、いわゆるＧＳＭ本拠地レジスタＨＬＲ２は訪問先ネットワークＧＳＭ内の移動体交換センタＭＳＣ２とＧＭＳＣ２との両方に接続されている。訪問先ネットワーク内に彼等の本拠地加入登録を有する全ての加入者はＧＳＭ本拠地レジスタ内に登録されている、すなわち訪問先ネットワークを取り扱うオペレータに加入登録されていてかつそのネットワークを使用する権利を有する加入者である。
本拠地ネットワークＰＤＣ及び訪問先ネットワークＧＳＭ内のそれぞれの本拠地レジスタＨＬＲ１及びＨＬＲ２は、それぞれのローカル交換センタＭＳＣ１並びにＭＳＣ２から、それぞれの交換センタのセル領域に一時的に配置されている加入者に関する情報を得る。ＰＤＣ本拠地レジスタＨＬＲ１とＰＤＣローカル交換センタＭＳＣ１との間で適用され、データをＰＤＣ本拠地レジスタＨＬＲ１とＰＤＣローカル交換センタＭＳＣ１との間で転送する信号呼び出し手続きは、ディジタル式移動体通信ネットワークに於ける内部ノード仕様、第４．０版の規格で定義されている。この信号呼び出し手続きは此の後も本文の中で、ローミング装置と本拠地ネットワークＰＤＣとの間の信号呼び出し手続きの説明を行う際に比較として用いられる。ＧＳＭ本拠地レジスタとＧＳＭローカル交換センタＭＳＣ２との間に適用される信号呼び出し手続きで、ＧＳＭ本拠地レジスタＨＬＲ２とＧＳＭローカル交換センタＭＳＣ２との間のデータ転送を行うものはＧＳＭ勧告０９．０２に定義されている。この信号呼び出し手続きは此の後も本文の中で、ローミング装置と訪問先ネットワークＧＳＭとの間の信号呼び出し手続きの説明を行う際に比較として用いられる。ここで信号呼び出し手続きを簡単に説明すると、これはＰＤＣ加入者、例えばＰＤＣネットワークの中に配置されている加入者Ａ、図示されている場合には移動体ＭＳ１、に対して通話を行う際に実施される。呼び出しを行う加入者ＣＳから、ＰＤＣネットワーク内に本拠地加入者として登録されている加入者Ａへの呼び出しがＰＤＣネットワークの呼び出し交換センタＧＭＳＣ１へ到達した際に、ＰＤＣ呼び出し交換センタＧＭＳＣ１はＰＤＣ本拠地レジスタＨＬＲ１に対して、その中に呼び出しを受けた加入者がその時点で登録されているＰＤＣローカル交換センタＭＳＣ１に関連する情報を問い合わせる。この問い合わせに対する回答を受け取ると、その呼び出しはＰＤＣ呼び出し交換センタＧＭＳＣ１から、その問い合わせに対する返事の中でＰＤＣ本拠地レジスタから指定されたＰＤＣローカル交換センタＭＳＣ１に向けられる。ＰＤＣ呼び出し交換センタＧＭＳＣ１とＰＤＣローカル交換センタＭＳＣとの間で、通話をＰＤＣ呼び出し交換センタＧＭＳＣ１からＰＤＣローカル交換センタＭＳＣ１へ向ける際に使用される信号呼び出し手続きはディジタル式移動体通信ネットワークに於ける内部ノード仕様、第４．０版の規格で定義されている。この信号呼び出し手続きは此の後も本文の中で、ローミング装置１００と本拠地ネットワークＰＤＣとの間で実行される信号呼び出し手続きの説明を行う際に比較として用いられる。ＰＤＣネットワークを参照して説明された信号呼び出し手続きはまた、呼び出しがＧＳＭネットワーク内でなされた場合にも適用できる。ＧＳＭ呼び出し交換センタＧＭＳＣ２とＧＳＭローカル交換センタＭＳＣ２との間で使用される信号呼び出し手続きは、欧州ディジタルセルラ通信システムの中で定義されている；呼び出しの移動体加入者への経路指示ＧＳＭ０３．０４．。この信号呼び出し手続きは此の後も本文の中で、ローミング装置と訪問先ネットワークＧＳＭとの間で実行される信号呼び出し手続きの説明を行う際に比較として用いられる。
通信システムＴＳはまた本発明に基づくローミング装置１００を含み、これは既に第１図を参照して説明している。ローミング装置１００はローミングレジスタＩＬＲとローミング交換センタＩＭＳＣとを含む。ローミング装置１００は本拠地ネットワークと本拠地インタフェースＳ１，Ｓ３の媒体を介して接続されており、また訪問先ネットワークとも訪問先インタフェースＳ２，Ｓ４の媒体を介して接続されている。これらのインタフェースは後ほど更に詳細に説明する。訪問先ネットワーク内で彼等のローミング中加入登録を得ている全てのローミング中の加入者、例えば加入者ＡはローミングレジスタＩＬＲの中で管理されている、すなわちこれらの加入者は本拠地ネットワークＰＤＣの中で既に本拠地加入登録を有し、かつ訪問先ネットワークＧＳＭを取り扱うオペレータによってローミング中加入登録も認知されている。これらのローミング中加入者は本拠地ネットワークＰＤＣと訪問先ネットワークＧＳＭの両方を使用する権利を有する。図示された実施例の場合では、ローミング装置は訪問先ネットワークＧＳＭを取り扱うオペレータによって管理されているが、勿論ローミング装置を本拠地ネットワークを取り扱うネットワークオペレータが管理するようにすることも可能である。またローミング装置を独立のネットワークオペレータ、いわゆるローミングオペレータに管理させるようにすることも考えられる。ローミング中の加入者Ａは両方のネットワークの中で、その呼び出し番号で管理される、すなわち本発明に基づく方法によれば、呼び出しを行う加入者ＣＳはローミング中の加入者Ａを、加入者Ａが本拠地ネットワークまたは訪問先とネットワークのいずれに配置されているかに関係なく、同一電話番号で呼び出すことが可能である。これは後ほど更に詳細に説明する。ローミングレジスタＩＬＲは本拠地ネットワークＰＤＣと訪問先ネットワークＧＳＭの両方に接続されている。ローミングレジスタＩＬＲと本拠地ネットワークＰＤＣ内の本拠地レジスタＨＬＲ１との間の信号呼び出しを取り扱うローミングレジスタＩＬＲの部分は、本拠地インタフェース内の第一インタフェースＳ１と名付けられており、一方ローミングレジスタＩＬＲと訪問先ネットワークＧＳＭ内のローカル交換センタＭＳＣ２との間の信号呼び出しを取り扱うローミングレジスタＩＬＲの部分は、訪問先インタフェース内の第二インタフェースＳ２と名付けられている。本発明によれば、ＰＤＣ本拠地レジスタＨＬＲ１とローミングレジスタＩＬＲとの間の第一インタフェースを経由して使用される信号呼び出し手続きは、ＰＤＣ本拠地レジスタＨＬＲ１とＰＤＣローカル交換センタＭＳＣ１との間で使用される信号呼び出し手続きと同一型式であり、この信号呼び出し手続きは本文の前の方で既に説明している。ＰＤＣ本拠地レジスタＨＬＲ１はこのためローミング装置１００を本拠地ネットワーク内のローカル交換センタとして認識する。本発明によれば、ＧＳＭローカル交換センタＭＳＣ２とローミングレジスタＩＬＲとの間の第二インタフェースＳ２を経由して使用される信号呼び出し手続きはＧＳＭローカル交換センタＭＳＣ２と本拠地レジスタＨＬＲ２との間で使用される信号呼び出し手続きと同一型式であり、この信号呼び出し手続きは本文の前の方で既に説明している。ＧＳＭローカル交換センタＭＳＣ２はこのためローミング装置１００を訪問先ネットワークＧＳＭ内の本拠地レジスタとして認識する。本発明によれば、ローミングレジスタＩＬＲは本拠地ネットワークＰＤＣ並びに訪問先ネットワークＧＳＭの両方から取り扱われることが可能であり、ＰＤＣ並びにＧＳＭネットワークによって自分自身のネットワークの一部として認識される。この点に関して得られる長所は、手続きに関する本発明の方法を説明する際に更に明らかとなるであろう。ローミングレジスタＩＬＲに接続されていることに加えて、ローミング交換センタＩＭＳＣはまた本拠地ネットワークＰＤＣ及び訪問先ネットワークＧＳＭにも接続されている。ローミング交換センタＩＭＳＣのローミング交換センタＩＭＳＣと本拠地ネットワークＰＤＣ内の呼び出し交換センタＧＭＳＣ１との間の信号呼び出しを取り扱う部分は、本拠地インタフェース内の第三インタフェースＳ３と名付けられており、一方ローミング交換センタＩＭＳＣのローミング交換センタＩＭＳＣと訪問先ネットワークＧＳＭ内のローカル交換センタＭＳＣ２との間の信号呼び出しを取り扱う部分は、訪問先インタフェース内の第四インタフェースＳ４と名付けられている。本発明によればＰＤＣ呼び出し交換センタＧＭＳＣ１とローミング交換センタＩＭＳＣとの間の第三インタフェースＳ３経由で使用される信号呼び出し手続きは、呼び出し交換センタＧＭＳＣ１とＰＤＣローカル交換センタＭＳＣ１との間で使用される信号呼び出し手続きと同一型式であり、この信号呼び出し手続きは本文の中で先に説明している。従ってＰＤＣ呼び出し交換センタＧＭＳＣ１はローミング装置１００を本拠地ネットワークＰＤＣ内のローカル交換センタＭＳＣ１として認識する。本発明によればＧＳＭローカル交換センタＭＳＣ２とローミング交換センタＩＭＳＣとの間の第四インタフェースＳ４経由で使用される信号呼び出し手続きは、ＧＳＭローカル交換センタＭＳＣ２とＧＳＭ呼び出し交換センタＧＭＳＣ２との間で使用される信号呼び出し手続きと同一型式であり、この信号呼び出し手続きは本文の中で先に説明している。従ってＧＳＭローカル交換センタＭＳＣ２はローミング装置１００を訪問先ネットワークＧＳＭ内の呼び出し交換センタとして認識する。本発明によればローミング交換センタＩＭＳＣは、本拠地ネットワークＰＤＣ並びに訪問先ネットワークＧＳＭの両方から取り扱われることが可能であり、両方のネットワークＰＤＣ並びにＧＳＭから本拠地ネットワークの一部として認識される。これによって得られる長所は、手続きに関する本発明の方法を説明する際に更に明らかとなるであろう。
例示している実施例の中で図示されているローミング装置１００とふたつのそれぞれのネットワークＰＤＣ並びにＧＳＭとの間のこれらの接続は、その様な接続の単なる例に過ぎないことは理解されよう。勿論、当業者には容易に理解されるようにローミング装置１００は第３図に示されるケースでも機能し、ここでは本拠地ネットワークＧＳＭＸはＧＳＭ型式ネットワークであり、訪問先ネットワークＰＤＣＸはＰＤＣ型式ネットワーク、または此処に示す以外の標識型式の混合型ネットワークの場合にも機能する。指摘しておく必要がある点は標準ネットワークの中には図示されたケースとは少し異なる構成のものもあると言うことである。例えばＰＤＣ型移動体電話ネットワークは、ネットワークを実現する際に使用されるＰＤＣ規格に応じて種々の方法で構成できる。ＰＤＣ型移動体電話ネットワークのひとつの構成例は、ＰＤＣローカル交換センタＭＳＣＸがＰＤＣ本拠地レジスタＨＬＲ１と訪問地レジスタＧＬＲ経由で通信を行う場合である。ＰＤＣネットワーク構成の別の例は、ＰＤＣローカル交換センタＰＤＣＸが中間の訪問地レジスタを使用せずに直接ＰＤＣ本拠地レジスタＨＬＲ１と通信する場合である。通常の技術を有する当業者には自明であろうが、標準ＰＤＣ型式ネットワークとの境界を果たすローミング装置１００は、このネットワークに適用可能な規格に適合するインタフェースを含んでいる。ＰＤＣ型式移動体電話ネットワークが第３図に図示されるケースの様に、訪問先ネットワークＰＤＣＸとして動作し、第一型式のローカル交換センタを含む場合は、訪問先レジスタＧＬＲはＰＤＣネットワークの中でローミング装置１００と通信を行う。ＰＤＣ型式移動体電話ネットワークが訪問先ネットワークＰＤＣＸとして動作し、第二型式のローカル交換センタをこれもまた第３図に記されているように含む場合は、ＰＤＣネットワーク内のローカル交換センタＭＳＣＸはこれとは反対にローミング装置１００と直接通信を行う。一方でＰＤＣ型式移動体電話ネットワークが本拠地ネットワークとして動作し第一型式のローカル交換センタを含む場合は、ローミング装置１００はＰＤＣ本拠地レジスタによって訪問先レジスタとして認識されるであろう。第２図に示すようにＰＤＣ型式移動体電話ネットワークが本拠地ネットワークとして動作し第二型式のローカル交換センタを含む場合は、ＰＤＣレジスタはローミング装置１００をローカル交換センタとして認識するであろう。本発明を実施するに当たって種々のネットワーク規格に遭遇する可能性があるが、それらは単に本発明の異なる実施例と見なすことが出来る。これらの構成は本発明を実施するに当たって制限を与えるものとは考えられず、また本発明の概念に対していかなる意味に於いても価値を減ずるものではない。
第４図は、第２図に関連して先に説明しかつこれから説明を行う本発明の方法にとって重要な装置を図式的に示す。先に説明した信号呼び出しノード、すなわち基地局、基地制御装置、ローカル交換センタ、本拠地レジスタそしてローミングレジスタ間の全ての固定接続は第４図では太い実線で図示されている。当然、ノード間の信号呼び出し、これは後ほど更に詳細に説明する、は固定接続上で相互に行われるが、図では簡単のためにこれらの接続の一方の側のみを示している。信号呼び出しは細い実線の矢印で示されており、それは信号呼び出しの方向を示している。図にも示されかつ本発明に必要な信号呼び出しは、ふたつの異なる型式の標準ネットワーク内に登録されている加入者を取り扱う際に実行される完全な信号呼び出し手続きを必要とはしない。信号呼び出しで良く知られている技術の一部と考えられるものは、本文で説明もしていないしまた図にも詳細には示していない。後ほど説明する局所化手続きはローミング中の加入者Ａの位置登録を、その加入者が本拠地ネットワークＰＤＣから訪問先ネットワークＧＳＭに移動した後に実行される手続きを示す。ローミング中の加入者Ａは同一の呼び出し番号で管理される、すなわちローミング中の加入者Ａは先に述べた呼び出しを行う加入者ＣＳからひとつのしかも同一の電話番号で、そのローミング中の加入者Ａがどのネットワークの中に居るかに関係なく呼び出し接続することが出来る。ここでローミング中の加入者Ａは本拠地レジスタＨＬＲ１の中に本拠地ネットワークＰＤＣ内の本来のものとして恒久的に登録される。またローミング中の加入者ＡはローミングレジスタＩＬＲの中に訪問先ネットワークＧＳＭ内の考えられる訪問者として恒久的に登録される。図示された事例ではローミング中の加入者Ａはふたつの異なる移動体通信装置にアクセスしており、ここで第一の移動体は本拠地ネットワークＰＤＣの中に存在していてＰＤＣ移動体ＭＳ１と示されている。第二の装置は訪問先ネットワークＧＳＭの中に存在しＧＳＭ移動体ＭＳ２と示されている。このＰＤＣ移動体ＭＳ１は本拠地ネットワークＰＤＣに適合されている、すなわち本拠地ネットワーク内の基地局と空中インタフェースの媒体を介して通信するように適合されている。空中インタフェースは第１図では稲光記号でＰＤＣ移動体ＭＳ１と基地局との間で示されている。ＧＳＭ移動体ＭＳ２は訪問先ネットワークに同様の方法で適合されている。両移動体装置ＭＳ１及びＭＳ２共に加入者モジュール読み取り装置を含んでいる。この加入者モジュール、これはしばしばＳＩＭカードと呼ばれている、は例えば標準のクレジットカードの大きさで、そのカードの所有者に関する情報を含んでいる、すなわち図示された実施例の場合ローミング中の加入者Ａの情報である。ＳＩＭカードが本拠地ネットワークＰＤＣの移動体装置ＭＳ１の中に挿入されると、登録手順が開始され、その目的は本拠地ネットワーク内での加入者の権利を確認し、その加入者のネットワーク内での位置を登録することである。この手順は当業者には良く知られているため、第４図には図示していないしまた本文の中でも詳細な説明はしていない。簡単に言うと、この手順は下記の二つの手順を含む、その第一手順は権利チェックを示し、第二チェックは登録を示す：
・そのセル領域の中に移動体電話加入者Ａが存在しているＰＤＣローカル交換センタＭＳＣ１はＰＤＣ本拠地レジスタＨＬＲ１に、権利承認チェックを実行出来るための情報を問い合わせる。ＰＤＣ本拠地レジスタＨＬＲ１は権利情報を本拠地ネットワーク内の権利承認レジスタから収集する。このＰＤＣ本拠地レジスタＨＬＲ１はＰＤＣローカル交換センタにその情報を転送し、これによって権利チェックを実行する。
・そのチェックが受領されると、ＰＤＣ本拠地レジスタＨＬＲ１にはＰＤＣローカル交換センタＭＳＣ１から、移動体電話加入者ＡがＰＤＣローカル交換センタのセル領域内に存在しておりかつその加入者の権利承認がなされた旨の通知がなされる。そこで加入者の位置はＰＤＣ本拠地レジスタＨＬＲ１の中に登録される。
これから第４図を参照して説明する本発明に基づく手続きに関する方法は局所化手続きに関連し、これは先に述べたローミング中の加入者Ａが移動して訪問先ネットワークＧＳＭ内のＧＳＭローカル交換センタＭＳＣ２で取り扱われるセル内に位置した際に実行されるものである。加入者ＡはＧＭＳ移動体ＭＳ２を使用する。この方法は以下の手順を含む：
・ＧＳＭ移動体ＭＳ２内の読み取り機がＳＩＭカードを読み取る。
・更新要求１がＧＳＭ移動体ＭＳ２からＧＳＭローカル交換センタＭＳＣ２に、基地制御装置ＢＳＣ２経由で送られる。
・更新要求１は加入者Ａの認証識別を含む。ローミング中の加入者Ａの認証識別を用いて、ＧＳＭローカル交換センタＭＳＣ２は加入者がローミングレジスタＩＬＲの中に恒久的に登録されたことを確認する。
・ＧＳＭローカル交換センタＭＳＣ２はローミングレジスタＩＬＲに情報要求２を送り、この中で加入者の権利認証をチェックするのに必要な情報がＧＳＭローカル交換センタＭＳＣ２により要求される。
・情報応答３がローミングレジスタＩＬＲからＧＳＭローカル交換センタＭＳＣ２に送られ、これにより必要な情報がＧＳＭローカル交換センタＭＳＣ２に送られる。
・加入者Ａの訪問先ネットワーク内での訪問者としての権利承認はＧＳＭローカル交換センタＭＳＣ２の中で実行される。
このチェック手続きは本発明にはさほど重要ではないので詳細な説明は行わない。この手続きは通常ＧＳＭネットワーク内で加入者権利承認をチェックするために実行されるチェック手続きと同一であり、当業者には良く知られていると思われる。
・ローミング中の加入者Ａは訪問先ネットワークＧＳＭ内で訪問者として受け入れられる。
・ＧＳＭローカル交換センタＭＳＣ２は開始メッセージ４をローミングレジスタＩＬＲに送り、このメッセージはローミング中の加入者ＡがＧＳＭローカル交換センタＭＳＣ２で取り扱われているセル領域のどの当たりに居るかの情報を含んでいる。
・加入者Ａの新たな位置がローミングレジスタＩＬＲの中、すなわち訪問先ネットワークＧＳＭ内のＧＳＭローカル交換センタＭＳＣ２に登録される。
・登録メッセージ５がローミングレジスタＩＬＲからＰＤＣネットワーク内のＰＤＣ本拠地レジスタＨＬＲ１に送られ、このメッセージ５はそのローミングレジスタＩＬＲへのアドレスを含む。この情報は例えば後ほど更にはっきりするように呼び出しを接続する際に使用できる。
・ローミング中の加入者Ａに関連する加入者データはＰＤＣ本拠地レジスタ（ＨＬＲ１）の中で更新され、そのローミングレジスタＩＬＲのアドレスがその加入者データの中に含まれる。
先に述べたように、先に説明した信号呼び出し手続きは、本拠地ネットワークから訪問先ネットワークに移動してしまったローミング中の加入者Ａを登録する際に実施されるものとしては完全な信号呼び出し手続きでは無い。本発明に本質的な信号呼び出しのみを説明するが、その他の信号呼び出しは通常の当業者には良く知られているものと考えられる。
第５図に先に説明した方法を図示している。この流れ図はまた本発明の概念に最も本質的な手順をも示している。図中の文章で使用されている略号は第４図を参照して先に説明したものである。第５図に従って実行される手続きは以下の手順を含む：
・ブロック１０１に従って、ＳＩＭカードがＧＳＭ移動体ＭＳ２の中で読み取られる。
・ブロック１０２に従って、更新要求１がＧＳＭローカル交換センタＭＳＣ２に送られる。
・ブロック１０３に従って、ＧＳＭローカル交換センタＭＳＣ２は加入者がローミングレジスタＩＬＲの中に恒久的に登録されていることを確認する。
・ブロック１０４に従って、加入者Ａに関する権利承認情報がローミングレジスタＩＬＲから権利承認要求２を通して要求される。
・ブロック１０５に従って、権利承認情報がローミングレジスタＩＬＲからＧＳＭローカル交換センタＭＳＣ２に情報応答３を通して送られる。
・ブロック１０６に従って、ＧＳＭローカル交換センタＭＳＣ２は加入者Ａの権利承認を訪問先ネットワークの訪問者としてチェックする。
・ブロック１０７に従って、ローミング中の加入者Ａが受容確認される。
・ブロック１０８に従って、ＧＳＭローカル交換センタＭＳＣ２はローミングレジスタＩＬＲに対してローミング中の加入者ＡがＧＳＭローカル交換センタＭＳＣ２で取り扱われるセル領域の中に存在することを、加入メッセージ４の媒体を通して通知する。
・ブロック１０９に従って、ローミングレジスタＩＬＲは加入者Ａの新たな位置を登録する。
・ブロック１１０に従って、ローミングレジスタＩＬＲのアドレスが本拠地ネットワークＰＤＣ内のＰＤＣ本拠地レジスタＨＬＲ１に、登録メッセージ５の媒体を通して送られる。
・ブロック１１１に従って、ローミングレジスタＩＬＲアドレスがＰＤＣ本拠地レジスタＨＬＲ１内のローミング中の加入者データの中に挿入される。
手続きの別の方法を次に第６図を参照して説明する、ここでは呼び出しは訪問先ネットワークＧＳＭに接続される。第６図は第２図を参照して先に説明しかつ、本発明の方法に重要ないくつかの装置を図式的に示しており、次に更に詳細に説明する。この実施例の場合、通信システムＴＳは公衆交換電話ネットワークを含み、これは本拠地ネットワークＰＤＣ内のＰＤＣ呼び出し交換センタＧＭＳＣ１に接続された公衆交換機ＬＥを含む。ＰＤＣ本拠地レジスタに接続されたＰＤＣ呼び出し交換センタＧＭＳＣ１は第２図を参照して先に説明済みであり、前記図に図示されている。呼び出しを行う加入者ＣＳは公衆交換機ＬＥに接続された公衆交換電話ネットワーク装置ＰＳＴＮＡを使用する。第６図の絵はローミング交換センタＩＭＳＣを含み、これは第２図を参照して先に説明済みであり、前記図に図示されている。ローカル交換センタＩＭＳＣはローミングレジスタＩＬＲに接続されており、またＰＤＣ呼び出し交換センタＧＭＳＣ１と訪問先ネットワークＧＳＭ内のＧＳＭローカル交換センタＭＳＣ２の両方に接続されている。先に列挙した信号呼び出しノード間の全ての固定接続、すなわち基地局、基地制御装置、ローカル交換センタ、本拠地レジスタ、ローミングレジスタ、ローミング交換センタ、呼び出し交換センタ、公衆交換機そして呼び出しを行う加入者は第６図の中で太い実線で示されている。信号呼び出しは第６図の中で細い実線の矢印で示されており、この矢印は信号呼び出しの方向を示している。図に示されており本発明に必要な信号呼び出しは、ふたつの異なる型式の標準ネットワーク内に登録されている加入者を取り扱う際に実行される完全信号呼び出し手続きを要求してはいない。既知であると考えられる信号呼び出しは本文中に説明されていないし、また図の中にも詳細に示されてはいない。これから説明する方法はいわゆる呼び出し手続きであり、ここで公衆交換電話ネットワークＰＳＴＮ内の呼び出しを行う加入者は、訪問先ネットワークＧＳＭ内の訪問者でありＧＳＭ移動体ＭＳ２を使用しているローミング中の加入者Ａを呼び出す。この方法は以下の手順を含む：
・呼び出しを行う加入者ＣＳはローミング中の加入者Ａを、公衆交換電話ネットワーク装置ＰＳＴＮＡ上の押しボタンを押し、ローミング中の加入者呼び出し番号を入力して呼び出す。
・呼び出し信号２１が公衆交換電話装置ＰＳＴＮからＰＤＣ呼び出し交換センタＧＭＳＣ１に、公衆交換機ＬＥを通して送られる。
・ＰＤＣ呼び出し交換センタＧＭＳＣ１はＰＤＣ本拠地レジスタＨＬＲ１に、加入者Ａの位置に関する第一質問２２を送る。
・本拠地レジスタＨＬＲ１はＰＤＣ呼び出し交換センタＧＭＳＣ１に第一回答２３を送り、これはローミングレジスタＩＬＲへのアドレスを含む。ローミングレジスタＩＬＲのアドレスに関しては既に局地化手続きの説明の中で述べた。
・ＰＤＣ呼び出し交換センタＧＭＳＣ１はローミングレジスタＩＬＲのアドレスを解析し、このアドレスの中からローミング交換センタＩＭＳＣへのアドレスを抽出する。ローミングレジスタＩＬＲへのアドレスのこの解析は、本発明を理解する上で重要では無く、また当業者には良く知られていると考えられるので詳細には説明しない。
・この呼び出しはＰＤＣ呼び出し交換センタＧＭＳＣ１からローミング交換センタＩＭＳＣに第一回送メッセージ２４を用いて転送され、このメッセージはローミング交換センタＩＭＳＣのアドレスを含む。
・ローミング交換センタＩＭＳＣはローミングレジスタＩＬＲに、ローミング中の加入者Ａの位置に関する第二質問２５を送る。
・ローミングレジスタは呼び出しを接続する際に一時的に用いられる、いわゆるローミング番号を収集する。この収集に関しては当業者には良く知られていると考えられるので詳細には説明しない。
・ローミングレジスタＩＬＲはローミング交換センタＩＭＳＣに第二回答２６を送り、これはローミング番号と訪問先ネットワークＧＳＭ内のＧＳＭローカル交換センタＭＳＣ２へのアドレスとを含む。
・この呼び出しはローミング交換センタＩＭＳＣからＧＳＭローカル交換センタＭＳＣ２へ第二回送メッセージ２７を用いて転送され、このメッセージはＧＳＭローカル交換センタＭＳＣ２のアドレスを含む。
・公衆交換電話ネットワーク装置ＰＳＴＮＡからの呼び出しはローミング中の加入者Ａに、ＧＳＭローカル交換センタＭＳＣ２とＧＳＭ移動体ＭＳ２との間の接続２８を設定して接続される。
先に説明した信号呼び出し手続きは呼び出しがローミング中の加入者Ａに対してなされる際に実行される、完全信号呼び出しであることを要求はしていない。本発明に本質的な信号呼び出しのみを上では説明している、一方その他の信号呼び出しは当業者には良く知られているものと考えている。再度強調しておくことは、図示されている本拠地ネットワークはＰＤＣ型式ネットワークであり、また図示されている訪問先ネットワークはＧＳＭ型式ネットワークであるが、これは考えられる構成の一例としてのみ示されていると言うことである。この逆もまた可能であり、その場合には本拠地ネットワークはＧＳＭ型式ネットワークで、訪問先ネットワークはＰＤＣ型式ネットワークである。後者の訪問先ネットワークがＰＤＣ型式ネットワークである場合、ローミング番号の収集は省かれる。異なる型式のネットワーク内で実施される信号呼び出し手続き内の同様の小さな違いは、本発明を理解する上で重要では無い。当業者はこの様な信号呼び出しの違いを理解するであろう。
第７図は先に述べた方法を記述する流れ図である。この流れ図は本発明の概念にとって最も重要な手順を図示する。図の中の文章で使用されている略号は、第６図を参照して先に説明済みと考える。この方法は第７図に従って以下のやり方で実行される：
・ブロック２０１に従って、呼び出しを行う加入者ＣＳはローミング中の加入者Ａを呼び出す。
・ブロック２０２に従って、呼び出し信号２１が公衆交換遠距離通信ネットワーク装置ＰＳＴＮＡからＰＤＣ呼び出し交換センタＧＭＳＣ１に送られる。
・ブロック２０３に従って、第一局地化質問（first localizing query）２２がＰＤＣ本拠地レジスタＨＬＲ１に対して、加入者Ａの位置を問い合わせるために送られる。
・ブロック２０４に従って、ローミングレジスタＩＬＲのアドレスを含む第一局地化応答２３が、ＰＤＣ呼び出し交換センタＧＭＳＣ１に送られる。
・ブロック２０５に従って、ＰＤＣ呼び出し交換センタＧＭＳＣ１はローミングレジスタＩＬＲのアドレスを解析し、このアドレスからローミング交換センタＩＭＳＣのアドレスを抽出する。
・ブロック２０６に従って、この呼び出しはローミング交換センタＩＭＳＣに転送される。
・ブロック２０７に従って、第二局地化質問２５がローミングレジスタＩＬＲに送られ、ローミング中の加入者Ａの位置を問い合わせる。
・ブロック２０８に従って、第二局地化応答２６がローミング交換センタＩＭＳＣに送られる。
・ブロック２０９に従って、この応答はＧＳＭローカル交換センタＭＳＣ２に応答２６を用いて転送される。
・ブロック２１０に従って、呼び出しの設定が終了する。
第８図は第４図を参照して先に説明したものと同じ通信システムＴＳを図示する。システムＴＳ内に含まれる装置、すなわち移動体装置ＭＳ１及びＭＳ２、基地局、基地制御装置ＢＳＣ２、ローカル交換センタＭＳＣ１及びＭＳＣ２、本拠地レジスタＨＬＲ１及びＨＬＲ２、そしてローミングレジスタＩＬＲは既に説明済みである。本拠地ネットワークＰＤＣ内のＰＤＣ本拠地レジスタＨＬＲ１は、付帯サービス、その他の加入者データ、そして例えばそのネットワークに本拠を有する、ローミング中の加入者Ａの様な加入者に対するその他の標準の基本サービスに関する情報を含む。付帯サービスとは、例えば”呼び出し転送”である。次にローミング中の加入者ＡのＰＤＣ本拠地レジスタＨＬＲ１内での付帯サービスを、この加入者が本拠地ネットワークＰＤＣから訪問先ネットワークＧＳＭに移動した後に取り扱うための手続きに関する本発明の方法を説明する。この手続きは下記の手順を含む：
・第一取り扱い要求３１ａが移動体装置ＭＳ２からローミングレジスタＩＬＲにＧＳＭローカル交換センタＭＳＣ２経由で送られる。この要求３１ａは加入者Ａが付帯サービス”呼び出し転送”の取り扱いを希望し、かつその種の取り扱いが実行されることを希望している旨の情報を含む。
・ローミングレジスタＩＬＲは第一取り扱い要求３１ａを受け取り、この要求は第二取り扱い要求３１ｂに交換され、これはローミングレジスタＩＬＲから本拠地ネットワークＰＤＣ本拠地レジスタＨＬＲ１に送られる。
・指定された付帯サービスは加入者Ａの希望に従い、ＰＤＣ本拠地レジスタＨＬＲ１の中で取り扱われる。
・第一取り扱い確認３２ａがＰＤＣ本拠地レジスタＨＬＲ１からローミングレジスタ（ＩＬＲ）に送られ、このメッセージは指定されたサービスが加入者（Ａ）の希望に従ってＰＤＣ本拠地レジスタＨＬＲ１の中で既に取り扱われたことを確認する。
・第一取り扱い確認３２ａはローミングレジスタＩＬＲで受信され、このメッセージは第二取り扱い確認３２ｂに変換され、これはローミングレジスタＩＬＲから移動体装置ＭＳＣ２にＧＳＭローカル交換センタＭＳ２経由で送られる。
第９図は第４図を参照して先に説明したものと同じ通信システムＴＳを図示する。システムＴＳ内に含まれる装置、すなわち移動体装置ＭＳ１及びＭＳ２、基地局、基地制御装置ＢＳＣ２、ローカル交換センタＭＳＣ１及びＭＳＣ２、本拠地レジスタＨＬＲ１及びＨＬＲ２、そしてローミングレジスタＩＬＲは既に説明済みである。本拠地ネットワークＰＤＣ内のＰＤＣ本発明レジスタＨＬＲ１は、そのネットワークに本拠を有する、例えばローミング中の加入者Ａの様な加入者に対する付帯サービスに関する情報を含む。先に説明した局地化手続きに関連して、そのセル領域内にローミング中の加入者Ａが存在しているＧＳＭローカル交換センタＭＳＣ２は、そのローミング中の加入者Ａに適用可能なこれらのサービスに関する情報を得る。これから説明する本発明による手続きの方法は、ローカル交換センタ、この場合ＧＳＭローカル交換センタに、付帯サービスが変更されたこと、例えばサービス”外線呼び出しの防止”に変更されたことを通知する。サービスの変更は例えばローミング中の加入者Ａに対して利用可能な付帯サービスを取り扱うネットワークオペレータによって指示されるはずである。この方法は下記の手順を含む：
・第一変更メッセージ４１ａを本拠地ネットワークＰＤＣ内のＰＤＣ本拠地レジスタＨＬＲ１からローミングレジスタＩＬＲへ送り、このメッセージ４１ａは付帯サービスの変更が実行されたことを通知する。第一変更メッセージ４１ａはローミングレジスタＩＬＲで受信され第二変更メッセージ４１ｂに変換され、これはローミングレジスタＩＬＲから訪問先ネットワークＧＳＭ内のＧＳＭローカル交換センタＭＳＣ２に送られる。
・付帯サービスの変更は訪問先ネットワークＧＳＭ内のローカル交換センタＭＳＣ２の中で確認される。
・第一変更確認４２ａが訪問先ネットワークＧＳＭのローカル交換センタＭＳＣ２からローミングレジスタＩＬＲへ送られ、このメッセージ４２ａは変更が実行されたことを確認する。
・第一変更確認４２ａはローミングレジスタＩＬＲで受信されて第二変更確認４２ｂに変更され、これはローミングレジスタＩＬＲから本拠地ネットワークＰＤＣ内の本拠地レジスタＨＬＲ１に送られる。
第１０図は第４図を参照して先に説明したものと同じ通信システムＴＳを図示する。システムＴＳ内に含まれる装置、すなわち移動体装置ＭＳ１及びＭＳ２、基地局、基地制御装置ＢＳＣ２、ローカル交換センタＭＳＣ１及びＭＳＣ２、本拠地レジスタＨＬＲ１及びＨＬＲ２、そしてローミングレジスタＩＬＲは既に説明済みである。先に述べたローミング中の加入者ＡはＧＳＭローカル交換センタＭＳＣ２の中に存在する。本拠地ネットワークＰＤＣ内のＰＤＣ本拠地レジスタＨＬＲ１はＧＳＭローカル交換センタＭＳＣ２内でのローミング中の加入者Ａの位置に関する情報を含んでいる。これから説明する方法は、本拠地レジスタＨＬＲ１内でエラーが発生した時に実行される信号呼び出し手続き示す。この方法は以下の手順を含む：
・エラーがＰＤＣ本拠地レジスタＨＬＲ１内で発生し、本拠地レジスタＨＬＲ１内に含まれている加入者、例えばローミング中の加入者Ａの位置に関する情報が消去される。
・第一エラーメッセージ５１ａがローミングレジスタＩＬＲに本拠地ネットワークＰＤＣ内のＰＤＣ本拠地レジスタＨＬＲ１から送られ、このメッセージ５１ａはＰＤＣ本拠地レジスタＨＬＲ１内でエラーが発生したことを通知する。このエラーメッセージはまたＰＤＣ本拠地レジスタが接続されていて、ＰＤＣ本拠地レジスタに加入者の位置に関する情報を提供しているその他の装置、例えばＰＤＣローカル交換センタＭＳＣ１にも送られる。
・第一エラーメッセージ５１ａはローミングレジスタＩＬＲで受信され第二エラーメッセージ５１ｂに変換されて、ローミングレジスタＩＬＲから訪問先ネットワークＧＳＭ内のＧＳＭローカル交換センタＭＳＣ２に送られる。
・ローカル交換センタＭＳＣ２内に記録がなされ、この記録は後ほど加入者が次にローカル交換センタＭＳＣ２に信号呼び出しを行った際にローミング中に加入者の位置を新たに更新する際に使用される。
以下の二つの手順は訪問先ネットワークの構成により、場合によっては省略できる。
・第一エラー確認５２ａがローミングレジスタＩＬＲに訪問先ネットワークＧＳＭ内のＧＳＭローカル交換センタＭＳＣ２から送られ、このメッセージ５２ａはエラーメッセージを受信したことを確認する。
・第一エラー確認５２ａがローミングレジスタＩＬＲ内で受信され、第二エラー確認５２ｂに変換され、これはローミングレジスタＩＬＲから本拠地ネットワークＰＤＣ内の本拠地レジスタＨＬＲ１に送られる。
第１１図は第４図を参照して先に説明したものと同じ通信システムＴＳを図示する。システムＴＳ内に含まれる装置、すなわち移動体装置ＭＳ１及びＭＳ２、基地局、基地制御装置ＢＳＣ２、ローカル交換センタＭＳＣ１及びＭＳＣ２、本拠地レジスタＨＬＲ１及びＨＬＲ２、そしてローミングレジスタＩＬＲは第４図を参照して既に説明済みである。ローミング中の加入者ＡはＰＤＣ本拠地レジスタＨＬＲ１の中に訪問先ネットワークＧＳＭ内の訪問者として、先に説明した局地化方法を用いて既に登録済みである。従ってＰＤＣ本拠地レジスタは、ローミング中の加入者ＡがＧＳＭローカル交換センタＭＳＣ２の中に発見された結果に関する情報を含んでいる。次に登録抹消手続きを説明するが、これは加入者Ａが訪問先ネットワークＧＳＭ内のＧＳＭ移動体から本拠地ネットワークＰＤＣに移動した後に実施されるものである。この方法は以下の手順を含み、その中の最初の五つは当業者には良く知られていると思われるので第１１図には示していない：
・ローミング中の加入者Ａが本拠地ネットワークＰＤＣ内のＰＤＣ移動体ＭＳ１に移動する。
・ＰＤＣ移動体ＭＳ１の読み取り機がＳＩＭカードを読み取る。
・更新要求がＰＤＣ移動体ＭＳ１からＰＤＣローカル交換センタＭＳＣ１に送られる。この更新要求は加入者Ａの認証識別を含む。
・本拠地ネットワーク内での加入者Ａの権利承認がＰＤＣローカル交換センタＭＳＣ１内でチェックされ確認される。
・ＰＤＣローカル交換センタＭＳＣ１はＰＤＣ本拠地レジスタＨＬＲ１に加入メッセージを送り、これはローミング中の加入者ＡがＰＤＣローカル交換センタＭＳＣ１で取り扱われるセル領域内に存在する結果得られる情報を含む。
上記方法の手順は当業者には良く知られていると思われるので第９図には示していない。以下の手順は本発明に関連するものである：
・第一解除メッセージ６１がローミングレジスタＩＬＲに本拠地ネットワークＰＤＣのＰＤＣ本拠地レジスタＨＬＲ１から送られ、このメッセージ６１ａは加入者Ａがもはや訪問先ネットワークＧＳＭ内に見つけられないことを通知している。
・ローミングレジスタＩＬＲはその加入者がもはや訪問先ネットワークＧＳＭ内に存在していない事実に関して更新される。
・第一解除メッセージ６１ａは第二解除メッセージ６１ｂに変換され、これはローミングレジスタＩＬＲから訪問先ネットワークＧＳＭ内のＰＤＣローカル交換センタＭＳＣ２に送られる。
・加入者Ａに関する加入者データはローカル交換センタＭＳＣ２内で解除される。
・第一解除確認６２ａがＧＳＭローカル交換センタＭＳＣ２からローミングレジスタＩＬＲに送られる。
・第一解除確認６２ａは第二解除確認６２ｂに変換され、これはローミングレジスタＩＬＲからＰＤＣ本拠地レジスタＨＬＲ１に送られる。
先に例として説明した実施例は本発明の範囲の中で種々改変可能であることが理解されよう。例えば、通信システムを異なる構成で説明することも考えられる。その様な通信システムの例として、衛星経由の空中インタフェースを含むＧＳＭネットワークであって、これらは先に説明したＰＤＣネットワークと、地上設置型ＧＳＭ機器並びにローミング装置の媒体を通して接続されている形態があげられる。衛星経由ＧＳＭシステムは先の実施例で説明した完全に地上設置型ＧＳＭシステムと同じ方法で信号呼び出しを取り扱うので、ローミング装置を衛星経由システムで使用するのに何らの困難も無いはずである。この性質を活用すると、将来の通信システムでＰＤＣ加入者がその加入者のネットワークが対象としている領域の外へ移動し、例えば日本を離れＰＤＣシステムが対象としていないが、異なる信号呼び出し規格、例えばＧＳＭ型信号呼び出し規格を有する第二の通信システムが衛星経由空中インタフェースの媒体を通して対象とする地理的な領域に移動した際の応用を見いだすことが出来る。
次に本発明の概念の例証的実施例を第１２図を参照して簡単に説明する。第１２図は通信システムＴＳＹを図示し、これはＰＤＣ型式本拠地ネットワークＰＤＣ１とＰＤＣ型式本拠地ネットワークＰＤＣ２とを含む。図示されているＰＤＣネットワーク、ＰＤＣ１並びにＰＤＣ２は国際ローミングは認められていない。通信システムＴＳＹは中間通信ネットワークを含み、図示されたケースではこれはＧＳＭ型ネットワークである。第１２図は発明に基づくローミング装置２００を図示しており、これは先に図示し説明したローミング装置とは少し異なっている。この実施例のローミング装置２００は第一信号取り扱い装置ＩＬＲ１とＩＭＳＣ１とを本拠地ネットワークＰＤＣ１とＧＳＭネットワークとの間に含む。ローミング装置２００はまた第二信号取り扱い装置ＩＬＲ２、ＩＭＳＣ２をＧＳＭネットワークと訪問先ネットワークＰＤＣ２との間に含む。本拠地ネットワークＰＤＣ１は第一信号取り扱い装置を本拠地ネットワーク内の信号呼び出しノードとして認識する、すなわち先に説明した実施例でと同様の方法で行う。訪問先ネットワークＰＤＣ２は第二信号取り扱い装置を訪問先ネットワーク内の信号呼び出しノードとして認識する、すなわち先に説明したのと同様の方法で行う。先に説明したローミング装置１００と同様、この実施例のローミング装置２００は本拠地ネットワークＰＤＣ１向け本拠地インタフェースＳ５，Ｓ７、及び訪問先ネットワークＰＤＣ２向け訪問者インタフェースＳ６，Ｓ８を含む。信号はＧＳＭネットワークをローミング装置２００内の第一信号取り扱い装置ＩＬＲ１，ＩＭＳＣ１及び第二信号取り扱い装置ＩＬＲ２，ＩＭＳＣ２の間を信号転送機構を用いて移動する、図示されている実施例の場合、信号転送機構は良く知られている型式のＣＣＩＴＴ第７番である。本拠地ネットワークＰＤＣ１並びに訪問先ネットワークＰＤＣ２はこの様なネットワークの単なる例として示されている。当然別の型式のネットワークもこの二つの型式のネットワークの代わりとして考えることが可能である。
先に説明しかつ図示した例としてあげた実施例は、本発明の範囲から逸脱することなく多くの変化を含むことが可能であることを理解されよう。例えばローミングレジスタＩＬＲは複数の訪問先インタフェースを含むことが可能であろう。ＡＤＣ型式本拠地ネットワークと二つの異なる訪問先ネットワークを使用し、その内のひとつは例えばＰＤＣ型式ネットワークで残りをアナログ式ＮＭＴ型式ネットワークとすることも考えられる。また加入者Ａがひとつのネットワーク型式のひとつの移動体電話を使用し、それに加えて別のネットワーク型式の移動体コンピュータ装置、例えばＭＯＢＩＴＥＸ型式ネットワークを使用することも考えられる。勿論本発明を適用できる多くの型式の異なる通信形態が存在する。例えば、呼び出しを行う加入者ＣＳが例としてあげた実施例に示す公衆交換電話ネットワーク装置ＰＳＴＮＡの代わりに、移動体装置を使用するかも知れない。先の実施例で説明したＳＩＭカードは本発明を実施するに際して必要ではない。加入者Ａが彼の不在または在席を、彼が自由に使用している移動体装置のスィッチを入り切りすることで指示することも考えられる。移動体電話機の設計は本発明が基礎としている概念にとっては重要ではない。例えば、二系統無線インタフェースを有する移動体電話機、ひとつは本拠地ネットワーク用そしてもうひとつは訪問先ネットワーク用も考えられる。既に示したように信号呼び出し手続きを色々な方法で変化させることも可能である。例えば加入者の権利承認がなされているか否かのチェックに続く手続きは、ローカル交換センタではなくて電話ネットワーク装置の中で実行できる。通信システムの構造は先に説明し図示した構造である必要は無い。例えば、衛星経由の基地局を使用することも考えられる。またローカル交換センタまたは基地制御装置と無線接続またはコードレス接続されている基地局を使用することも考えられる。
本発明が先に説明し図示した例としてあげた実施例に限定されるものでなく、以下の請求の範囲内で改変が可能であることは理解されよう。
【図１】
0003698725.tif 000002
【図２】
0003698725.tif 000003
【図３】
0003698725.tif 000004
【図４】
0003698725.tif 000005
【図５】
0003698725.tif 000006
【図６】
0003698725.tif 000007
【図７】
0003698725.tif 000008
【図８】
0003698725.tif 000009
【図９】
0003698725.tif 000010
【図１０】
0003698725.tif 000011
【図１１】
0003698725.tif 000012
【図１２】
0003698725.tif 000013